(57)【要約】【課題】地下貯留浸透タンクを、作業員がタンク内部に入ることなくタンク内に進入した夾雑物を除去することができるように構成し、これにより貯留タンクの設置工期の短縮化を実現する。【解決手段】タンクの底面に汚泥ピットを設け、当該汚泥ピット上に積み上げた最上部の枠体ユニットの上面に鍔付き短管の鍔部を固定し、地表面まで立ち上げた鍔付き短管の上部を着脱自在の蓋体で閉塞して地下貯留浸透タンクを構成し、地上から吸引ホースを短管を通してタンク内に差し入れ、汚泥ピット内に堆積した夾雑物を吸引ホースで吸い取って除去する。【選択図】図１
2006322149.tif 000002
【特許請求の範囲】
【請求項１】
地面を掘り下げて空間部を形成し、この空間部に複数の枠体ユニットを敷き並べるとともに地表面の近傍まで積み上げて雨水の貯留タンクを形成した地下貯留浸透タンクであって、
空間部底面の適宜位置に汚泥ピットを設け、当該汚泥ピット上に積み上げた最上部の枠体ユニットの上面に鍔付き短管の鍔部を固定し、地表面まで立ち上げた鍔付き短管の上部を着脱自在の蓋体で閉塞したことを特徴とする雨水の地下貯留浸透タンク。
【発明の詳細な説明】
【技術分野】
【０００１】
本発明は、雨水を地下で貯留し、地中に浸透させるためのタンクの構造に関する。
【背景技術】
【０００２】
都市郊外の住宅地等では、集中豪雨などにより雨水の河川への流入が集中して河川が氾濫するのを防ぐことを目的として、雨水を貯留して河川への雨水の流入量を制御したり、地下に浸透させたりするための貯留タンクを地下に設置することがある。
かかる貯留タンク１００として、例えば図７に示されるように、地面を掘り下げて形成された穴の中に、中空の枠体１０１を積み上げて雨水の貯留空間を形成し、宅地の側溝その他の排水溝に通ずる流入路１０２から雨水を流し込み、貯留空間の容量を超えて雨水が流入したときは貯留した雨水を排出路１０３から排出させる構造のものが知られている（例えば特許文献１参照）。
【０００３】
【特許文献１】特公平４−３５５８０号公報
【発明の開示】
【発明が解決しようとする課題】
【０００４】
図示した従来の貯留タンク１００では、流入路１０２が貯留タンク１００にそのまま接続し、貯留タンク１００の手前に沈降分離層やスクリーンが設けられていないため、雨水とともに側溝に流れ落ちたゴミや枯葉、木片、土砂等の夾雑物がタンク内に流入し易かった。そのため、タンク底部に夾雑物を堆積させる汚泥ピットを設けるとともに、当該ピット上に１ｍ×１ｍ角程度の枠部材を用いたマンホールをタンク内部に形成しておき、地上からマンホールを伝って作業員が汚泥ピットまで降り、タンク内に浸入し堆積した夾雑物を地上に排出するように設けることが一般的に行われていた。
然しながら、前記枠部材を用いてタンク内部にマンホールを組み付ける工事は大掛かりなものであり、そのため貯留タンクの設置工期が長期化し、このことが施工コストを高くする要因ともなっていた。
【０００５】
本発明は従来技術の有するこのような問題点に鑑み、作業員がタンク内部に入ることなくタンク内に進入した夾雑物を除去することができるように貯留タンクを構成し、これにより貯留タンクの設置工期の短縮化を実現することを課題とする。
【課題を解決するための手段】
【０００６】
タンク内に流入するゴミや枯葉、土砂等の夾雑物個々の大きさは極めて小さく、作業員がタンク内部に入らなくとも吸引ホースで汲み上げることが可能であり、また、タンク内部の様子は、小型のカメラを利用して確認することも可能である。従って、夾雑物がタンク内部の所定の場所に沈殿し堆積するように設けておけば、わざわざ作業員がタンク内部に入らなくとも、堆積した夾雑物を吸引ホースで確実に除去することは可能である。
【０００７】
そこで、本発明は、地面を掘り下げて空間部を形成し、この空間部に複数の枠体ユニットを敷き並べるとともに地表面の近傍まで積み上げて雨水の貯留タンクを形成した地下貯留浸透タンクを、空間部底面の適宜位置に汚泥ピットを設け、さらに当該汚泥ピット上に積み上げた最上部の枠体ユニットの上面に鍔付き短管の鍔部を固定し、地表面まで立ち上げた鍔付き短管の上部を着脱自在の蓋体で閉塞して構成した。
【０００８】
本発明で貯留タンクを構成する枠体ユニットとしては、多段に積み上げた状態で、鍔付き短管からタンク内に吸引ホースを差し入れ、吸引ホースの先端をタンク底面の汚泥ピット内に差し込むことのできる形態のものが用いられ、ユニットの上下を貫通する開口部を備え、ユニットを多段に積み上げたときに、各段の枠体ユニットの開口部が鉛直方向に沿って連なる形態のものが好適である。
また、雨水流入路と接続する貯留タンクの流入口と、雨水排出路と接続する貯留タンクの排水口も、タンク側面に設けた開口部に鍔付きの管体を接続して形成することができる。
【０００９】
これによれば、雨水とともに貯留タンク内に流入した夾雑物は、タンク内で沈降し、底面に設けた汚泥ピット内に沈殿する。そして、鍔付き短管の蓋体を取り外し、短管からタンク内に吸引ホースを差し入れれば、汚泥ピット内に堆積した夾雑物を吸引ホースで吸い取って除去することができる。短管は吸引ホースを差し入れることができる程度の大きさでよく、従来の如く、タンク内に作業員が入ることのできるマンホールを組み付ける必要はない。
【発明を実施するための最良の形態】
【００１０】
本発明の好適な一実施形態を図面を参照して説明する。
図１は本発明の一実施形態の貯留タンクを半面を破断して示した概略断面図、図２は貯留タンクを構成する枠体ユニットの平面と側面を示した図、図３は貯留タンクの周面に取付けられる平板の平面と側面を示した図、図４は貯留タンクの施工手順を説明するための図、図５は最上段の枠体ユニットと鍔付き短管の接続部分を示した図、図６は貯留タンクの雨水流入口を構成する鍔付き管体と枠体ユニットの接続部分を示した図である。
【００１１】
図示した貯留タンク１は、地面を掘り下げて形成した空間部上に、枠体ユニット２を多段に積み上げてなり、一体に積み上げられた枠体ユニット２の周囲を透水性の保護シート４で覆うとともに、タンクの一側の側面の上部に雨水流入路５、他側の側面の下部に雨水排出路６を接続して、雨水流入路５からタンク内に雨水を流入させてタンク内部の空隙に貯留し、貯留した雨水を保護シート４から地中へと浸透させ、また、雨水排出路６から下水路へと放出することができるように構成してある。透水性の保護シート４に代えて、遮水性の保護シート４を用い、或いは両部材を併用してもよい。
【００１２】
また、タンク上面には、タンク内部と連通した鍔付き短管７を地上近傍まで突出させてあり、この短管７の上部は、地中に固定された台座８で支持された枠９でその周囲が覆われ、さらに枠９の頂部に設けた蓋体１０で短管７の上端を閉塞してある。また、短管７の鉛直下方位置のタンク底面には、雨水とともにタンク内に流入した夾雑物を堆積させる汚泥ピット１１を設けてある。
【００１３】
枠体ユニット２は、図２に示されるように、５０ｃｍ四方程度の大きさの基板２ａの下面に、中空の脚体２ｂを複数列設して形成されており、当該基板２ａ上に他の枠体ユニット２を載せて多段に積み上げることができるように設けてある。また、基板２ａには１０〜２０ｃｍ程度の開口径の開口部２ｃが複数形成されており、枠体ユニット２を多段に積み上げた状態で、各段の開口部２ｃが鉛直方向に沿って連なり、貯留タンク２の頂部から底部までが各開口部２ｃで貫通するようになっている。
【００１４】
最下段の枠体ユニット２は、その下側に敷設された、図３に示される、表面に多数の細孔が形成された平板３で脚体２ｂが垂直に支持され、また、多段に積み上げられた枠体ユニット２の側部と上部にも平板３が一体に取り付けられる。
【００１５】
枠体ユニット２を積み上げて貯留タンク１を構成する手順は、次のようにして行なわれる。
【００１６】
図４に示されるように、先ず、貯留タンク１を設置する場所の地面を掘り下げて、貯留タンク１を埋設することのできる大きさの空間部を形成する（同図（Ａ））。次いで、空間部の底面に汚泥ピット１１を形成し、当該底面を整地した上で空間部内に保護シート４を敷設する（同図（Ｂ））。
【００１７】
そして、保護シート４上に平板３を敷き並べるとともに、その上に枠体ユニット２を敷き並べる（同図（Ｃ））。以降、枠体ユニット２を多段に積み上げながら、前後左右の枠体ユニット２同士を連結具を用いて一体に連結し、最外周の枠体ユニット２の表面にも平板３を取り付けてゆく。そして、枠体ユニット２を多段に積み上げたならば、最上段の枠体ユニット２の基板２ａ上にも平板３を重ねて取り付ける。
【００１８】
また、貯留タンク１の雨水流入路５と雨水排出路６が接続する部分には、鍔付きの管体１２、１２を取り付け、また、貯留タンク２の頂部であって汚泥ピット１１の鉛直上方の位置には、鍔付き短管７を取り付け、その後、多段に積み上げた枠体ユニット２及び平板３の周囲に保護シート４を被せて覆う（同図（Ｄ））。
【００１９】
鍔付き短管７は、平板３に開口３ａを開けてから短管を接続したものであって、この鍔付き短管７の取り付けは、図５に示されるように、貯留タンク２の最上部の枠体ユニット２の開口部２ｃに当該平板３を接着接合して行う。短管７を取り付けたならば、その表面を覆うように保護シート４が被せられる。
また、鍔付き管体１２、１２も同様に開口３ａを開けた平板３と一体のものであり、その取り付けも同様に、図６に示されるように、貯留タンク２の最外周側の枠体ユニット２の側面に当該平板３を接着接合して行い、管体１２、１２を覆うようにして保護シート４がその表面に被せられる。
【００２０】
表面を保護シート４で覆った貯留タンク１が前記掘り下げた空間内に構成されたならば、前記鍔付き管体１２、１２に雨水流入路５と雨水排出路６とをそれぞれ接続した上で、その周囲を埋め戻し（同図（Ｅ））、さらに、貯留タンク１の上方に突出した短管７の上部を枠９で覆い、蓋体１０で短管７を閉塞することで、貯留タンク１の設置が完了する。
【００２１】
このように構成される本形態の貯留タンク１によれば、雨水流入路５から雨水とともにタンク内部に流入した夾雑物は、タンク内で沈降し、その底面に設けた汚泥ピット１１内に沈殿する。そして、蓋体１０を取り外して地上から短管７内に吸引ホースを差し入れれば、各段の枠体ユニット２の開口部２ｃを通って吸引ホースの先端が汚泥ピット１１に達し、ピット内に堆積した夾雑物を吸い取って除去することが可能である。
この場合、短管７は、吸引ホースを差し入れることのできる程度の大きさのもの、つまり前記開口部２ｃと略同じ開口径のものを用いることができ、これを貯留タンク１に簡易な作業で取り付けることができる。短管７を通した吸引ホースでタンク材の夾雑物を除去可能なので、従来の如く、タンク内に作業員が入ることのできるマンホールを組み付ける必要はなく、従って、貯留タンク１の設置工期が長期化することはなく、施工コストを抑えることができる。
【００２２】
なお、図示した施設の形態は一例であり、本発明は図示した形態に限定されず、他の適宜な形態で構成可能である。
【図面の簡単な説明】
【００２３】
【図１】本発明の一実施形態の貯留タンクを半面を破断して示した概略断面図である。
【図２】図１の貯留タンクを構成する枠体ユニットの平面（Ａ）と側面（Ｂ）を示した図である。
【図３】図１の貯留タンクの周面に取付けられる平板の平面（Ａ）と側面（Ｂ）を示した図である。
【図４】貯留タンクの施工手順を説明するための図である。
【図５】最上段の枠体ユニットと鍔付き短管の接続部分を示した図である。
【図６】貯留タンクの雨水流入口を構成する鍔付き管体と枠体ユニットの接続部分を示した図である。
【図７】従来の地下貯留施設の構成を示す断面図である。
【符号の説明】
【００２４】
１  貯留タンク、２  枠体ユニット、３  平板、４  保護シート、５  雨水流入路、６  雨水排出路、７  鍔付き短管、８  台座、９  枠、１０  蓋体、１１  汚泥ピット、１２  管体
【図１】
2006322149.tif 000003
【図２】
2006322149.tif 000004
【図３】
2006322149.tif 000005
【図４】
2006322149.tif 000006
【図５】
2006322149.tif 000007
【図６】
2006322149.tif 000008
【図７】
2006322149.tif 000009